(57)【要約】【課題】第１フレキシブル配線基板および第２フレキシブル配線基板を電気光学パネルの異なる辺に接続した場合でも、効率よく組み立てることのできる電気光学モジュール、および当該電気光学モジュールを備えた電子機器を提供すること。【解決手段】電気光学モジュール１０は、電気光学パネル２と、電気光学パネル２の第１辺２ａに接続された第１フレキシブル配線基板６０と、電気光学パネル２の第２辺２ｂに接続された第２フレキシブル配線基板７０とを有している。第１フレキシブル配線基板６０および第２フレキシブル配線基板７０を電気光学パネル２の第１辺２ａの側から引き出すにあたって、第２フレキシブル配線基板７０をフレーム３０に形成された基板収容溝３６を通って第１辺２ａの側から引き出す。このため、電気光学モジュール１０を組み立てる際、第２フレキシブル配線基板７０の位置が規定されている。【選択図】図２
2016014755.tif 000002
【特許請求の範囲】
【請求項１】
電気光学パネルと、
該電気光学パネルの第１辺に接続された第１フレキシブル配線基板と、
前記電気光学パネルの前記第１辺と異なる第２辺に接続された第２フレキシブル配線基板と、
前記電気光学パネルを収容するケースと、
を有し、
前記ケースには、前記第２フレキシブル配線基板を収容する基板収容溝が形成され、
前記第２フレキシブル配線基板は、前記基板収容溝を通って前記第１辺の側から引き出されていることを特徴とする電気光学モジュール。
【請求項２】
前記第２辺は、前記電気光学パネルにおいて前記第１辺とは反対側に位置することを特徴とする請求項１に記載の電気光学モジュール。
【請求項３】
前記第２フレキシブル配線基板は、前記第２辺から前記第１辺とは反対側に向けて延在する第１部分と、該第１部分の先端から前記第２辺に沿って延在する第２部分と、前記第２部分の先端から前記電気光学パネルの前記第１辺の一方側端部と前記第２辺の一方側端部とを繋ぐ第３辺に沿って前記第１辺の側に向かって延在する第３部分とを備え、
前記基板収容溝は、前記第２辺に沿って延在して前記第２部分を収容する第２部分収容部、および前記第３辺に沿って延在して前記第３部分を収容する第３部分収容部のうちの少なくとも一方を備えていることを特徴とする請求項２に記載の電気光学モジュール。
【請求項４】
前記基板収容溝は、前記第２部分収容部および前記第３部分収容部の双方を備えていることを特徴とする請求項３に記載の電気光学モジュール。
【請求項５】
前記基板収容溝は、前記電気光学パネルと前記第２フレキシブル配線基板との接続位置に対して、前記第３辺の側、および前記第１辺の他方側端部と前記第２辺の他方側端部とを繋ぐ第４辺の側の双方にされていることを特徴とする請求項３または４に記載の電気光学モジュール。
【請求項６】
前記第２フレキシブル配線基板は、前記第２部分と前記第３部分との間で折れ曲がって前記第３部分の一方面を前記電気光学パネルの前記第３辺側の側面の側に向かせる第１折り曲げ部を備えていることを特徴とする請求項３乃至５の何れか一項に記載の電気光学モジュール。
【請求項７】
前記第２フレキシブル配線基板は、前記第１部分と前記第２部分との間で折れ曲がって前記第２部分の一方面を前記電気光学パネルの前記第１辺側の側面の側に向かせる第２折り曲げ部を備えていることを特徴とする請求項３乃至６の何れか一項に記載の電気光学モジュール。
【請求項８】
前記第２部分収容部は、延在方向において深さが変化し、
前記第２部分は、前記第２部分収容部の底部に沿って延在し、
前記第３部分は、平面視で前記電気光学パネルの表示領域と前記第３辺との間に重なっていることを特徴とする請求項３乃至７の何れか一項に記載の電気光学モジュール。
【請求項９】
前記基板収容溝は、前記ケースの前記電気光学パネルと平面視で重なる底板部の前記電気光学パネル側とは反対側に位置する裏面側で前記第２辺の側から前記第１辺の側に向けて延在し、
前記第２フレキシブル配線基板は、前記電気光学パネルとの接続位置から前記裏面に向けて折り曲げられて前記基板収容溝に収容されていることを特徴とする請求項１または２に記載の電気光学モジュール。
【請求項１０】
前記電気光学パネルは、前記底板部の側とは反対側に向けて表示光を出射する反射型電気光学パネルまたは自発光型電気光学パネルであり、
前記ケースの前記裏面側には、前記第２辺の側から前記第１辺の側に向けて延在する突条のフィンが複数、並列して形成されており、
前記複数のフィンのうち、隣り合うフィンの間に形成された凹部のいずれかが前記基板収容溝として利用されていることを特徴とする請求項９に記載の電気光学モジュール。
【請求項１１】
前記複数のフィンにおいて、前記基板収容溝が形成されているフィン間の間隔が、他のフィン間の間隔より広いことを特徴とする請求項１０に記載の電気光学モジュール。
【請求項１２】
請求項１乃至１１の何れか一項に記載の電気光学モジュールを備えていることを特徴とする電子機器。
【発明の詳細な説明】
【技術分野】
【０００１】
本発明は、電気光学パネルの異なる辺にフレキシブル配線基板が接続された電気光学モジュール、および当該電気光学モジュールを備えた電子機器に関するものである。
【背景技術】
【０００２】
投射型表示装置等の電子機器では、電気光学パネルにフレキシブル配線基板が接続された電気光学モジュールが用いられている。また、電気光学モジュールでは、電気光学パネルの異なる辺の各々に第１フレキシブル配線基板および第２フレキシブル配線基板が接続された構造が採用されることがある（特許文献１参照）。このような場合でも、第１フレキシブル配線基板および第２フレキシブル配線基板が同一方向に引き出されている方が電気光学モジュールを組み立てやすい。そこで、特許文献１に記載の電気光学モジュールでは、第１フレキシブル配線基板と重なる位置まで第２フレキシブル配線基板を引き出して第１フレキシブル配線基板と第２フレキシブル配線基板とを接着した構造が提案されている（特許文献１参照）。
【先行技術文献】
【特許文献】
【０００３】
【特許文献１】特開２００４−１１８０８９号公報
【発明の概要】
【発明が解決しようとする課題】
【０００４】
しかしながら、特許文献１に記載の構成のように、第１フレキシブル配線基板と第２フレキシブル配線基板とを接着した構造の場合、接着工程に多大な手間がかかるため、生産性が低いという問題点がある。また、第２フレキシブル配線基板を第１フレキシブル配線基板と重なる位置まで引き出した場合、第２フレキシブル配線基板において、電気光学パネルに接続された部分から第１フレキシブル配線基板に接続された部分まで延在する部分は、固定されずに浮いた状態にあるため、電気光学パネルをケースに収容する際、第２フレキシブル配線基板と他の部材との干渉等を避ける必要があるため、生産性が低下するという問題点がある。
【０００５】
以上の問題点に鑑みて、本発明の課題は、第１フレキシブル配線基板および第２フレキシブル配線基板を電気光学パネルの異なる辺に接続した場合でも、効率よく組み立てることのできる電気光学モジュール、および当該電気光学モジュールを備えた電子機器を提供することにある。
【課題を解決するための手段】
【０００６】
上記課題を解決するために、本発明に係る電気光学モジュールは、電気光学パネルと、該電気光学パネルの第１辺に接続された第１フレキシブル配線基板と、前記電気光学パネルの前記第１辺と異なる第２辺に接続された第２フレキシブル配線基板と、前記電気光学パネルを収容するケースと、を有し、前記ケースには、前記第２フレキシブル配線基板を収容する基板収容溝が形成され、前記第２フレキシブル配線基板は、前記基板収容溝を通って前記第１辺の側から引き出されていることを特徴とする。
【０００７】
本発明では、第１フレキシブル配線基板は、電気光学パネルの第１辺に接続され、第２フレキシブル配線基板は、電気光学パネルの第１辺と異なる第２辺に接続されているが、第２フレキシブル配線基板は、第１フレキシブル配線基板と同様、第１辺の側から引き出されているため、第１フレキシブル配線基板および第２フレキシブル配線基板と外部との電気的な接続等が容易である。また、第２フレキシブル配線基板は、ケースに形成された基板収容溝を通って第１辺の側から引き出されているため、電気光学モジュールを組み立てる際、第２フレキシブル配線基板の位置が規定されている。このため、第１フレキシブル配線基板と第２フレキシブル配線基板とを接着する等の手間のかかる工程を行わなくても電気光学パネルをケースに容易に収容することができる。それ故、第１フレキシブル配線基板および第２フレキシブル配線基板を電気光学パネルの異なる辺に接続した場合でも、電気光学モジュールを効率よく組み立てることができる。
【０００８】
本発明は、前記第２辺は、前記電気光学パネルにおいて前記第１辺とは反対側に位置する場合に適用するとより効果的である。かかる構成の場合、第２フレキシブル配線基板の引き回し距離が長い分、第２フレキシブル配線基板と他の部材との干渉等を避けるのに多大な手間がかかりやすいが、本発明によれば、かかる構成の場合でも、第２フレキシブル配線基板と他の部材との干渉等を避けるのが容易であるため、電気光学モジュールを効率よく組み立てることができる。
【０００９】
本発明において、前記第２フレキシブル配線基板は、前記第２辺から前記第１辺とは反対側に向けて延在する第１部分と、該第１部分の先端から前記第２辺に沿って延在する第２部分と、前記第２部分の先端から前記電気光学パネルの前記第１辺の一方側端部と前記第２辺の一方側端部とを繋ぐ第３辺に沿って前記第１辺の側に向かって延在する第３部分とを備え、前記基板収容溝は、前記第２辺に沿って延在して前記第２部分を収容する第２部分収容部、および前記第３辺に沿って延在して前記第３部分を収容する第３部分収容部のうちの少なくとも一方を備えていることが好ましい。
【００１０】
本発明において、前記基板収容溝は、前記第２部分収容部および前記第３部分収容部の双方を備えていることが好ましい。
【００１１】
本発明において、前記基板収容溝は、前記電気光学パネルと前記第２フレキシブル配線基板との接続位置に対して、前記第３辺の側、および前記第１辺の他方側端部と前記第２辺の他方側端部とを繋ぐ第４辺の側の双方にされていることが好ましい。かかる構成によれば、電気光学モジュールを電子機器等に搭載する際の向き等に応じて、第２フレキシブル配線基板を第１辺の延在方向のいずれの側から引き出すかを最適化することができる。
【００１２】
本発明において、前記第２フレキシブル配線基板は、前記第２部分と前記第３部分との間で折れ曲がって前記第３部分の一方面を前記電気光学パネルの前記第３辺側の側面の側に向かせる第１折り曲げ部を備えていることが好ましい。かかる構成によれば、第１辺の延在方向において、電気光学パネルおよび第２フレキシブル配線基板が占める幅を狭くすることができるので、電気光学モジュールの小型化を図ることができる。
【００１３】
本発明において、前記第２フレキシブル配線基板は、前記第１部分と前記第２部分との間で折れ曲がって前記第２部分の一方面を前記電気光学パネルの前記第１辺側の側面の側に向かせる第２折り曲げ部を備えていることが好ましい。かかる構成によれば、第３辺の延在方向において、電気光学パネルおよび第２フレキシブル配線基板が占める幅を狭くすることができるので、電気光学モジュールの小型化を図ることができる。
【００１４】
本発明において、前記第２部分収容部は、延在方向において深さが変化し、前記第２部分は、前記第２部分収容部の底部に沿って延在し、前記第３部分は、平面視で前記電気光学パネルの表示領域と前記第３辺との間に重なっている構成を採用してもよい。かかる構成によれば、第１辺の延在方向において、電気光学パネルの幅方向の範囲内に第２フレキシブル配線基板の第３部分を配置することができるので、電気光学モジュールの小型化を図ることができる。
【００１５】
本発明において、前記基板収容溝は、前記ケースの前記電気光学パネルと平面視で重なる底板部の前記電気光学パネル側とは反対側に位置する裏面側で前記第２辺の側から前記第１辺の側に向けて延在し、前記第２フレキシブル配線基板は、前記電気光学パネルとの接続位置から前記裏面に向けて折り曲げられて前記基板収容溝に収容されていることが好ましい。かかる構成によれば、第１辺の延在方向において、電気光学パネルの幅方向の範囲内に第２フレキシブル配線基板を配置することができるので、電気光学モジュールの小型化を図ることができる。
【００１６】
本発明において、前記電気光学パネルは、前記底板部の側とは反対側に向けて表示光を出射する反射型電気光学パネルまたは自発光型電気光学パネルであり、前記ケースの前記裏面側には、前記第２辺の側から前記第１辺の側に向けて延在する突条のフィンが複数、並列して形成されており、前記複数のフィンのうち、隣り合うフィンの間に形成された凹部のいずれかが前記基板収容溝として利用されている構成を採用してもよい。かかる構成によれば、底板部の裏面にフィンが形成されている場合でも、底板部の裏面側に第２フレキシブル配線基板を通すことができる。
【００１７】
本発明では、前記複数のフィンにおいて、前記基板収容溝が形成されているフィン間の間隔が、他のフィン間の間隔より広いことが好ましい。かかる構成によれば、フィンの間隔が狭い場合でも、底板部の裏面側に第２フレキシブル配線基板を通すことができる。
【００１８】
本発明に係る電気光学モジュールは各種電子機器に用いられる。また、電子機器が投射型表示装置の場合、投射型表示装置は、電気光学パネルに光を供給するための光源部と、電気光学パネルによって光変調された光を投射する投射光学系とを備えている。
【図面の簡単な説明】
【００１９】
【図１】本発明の実施の形態１に係る電気光学モジュールを光出射側からみたときの様子を模式的に示す斜視図である。
【図２】図１に示す電気光学モジュールを光出射側からみたときの様子を模式的に示す分解斜視図である。
【図３】図１に示す電気光学モジュールを光入射側からみたときの様子を模式的に示す分解斜視図である。
【図４】図１に示す電気光学モジュールに用いた電気光学パネルの説明図である。
【図５】図１に示す電気光学モジュールの基板収容溝付近を拡大して示す斜視図である。
【図６】本発明の実施の形態２に係る電気光学モジュールに用いた第２フレキシブル配線基板等を第２基板側からみた斜視図である。
【図７】本発明の実施の形態３に係る電気光学モジュールに用いた第２フレキシブル配線基板等を第２基板側からみた斜視図である。
【図８】本発明の実施の形態４に係る電気光学モジュールに用いた第２フレキシブル配線基板等を第２基板側からみた斜視図である。
【図９】本発明の実施の形態５に係る電気光学モジュールの説明図である。
【図１０】本発明を適用した電気光学モジュールを用いた投射型表示装置（電子機器）の概略構成図である。
【発明を実施するための形態】
【００２０】
図面を参照して、本発明の実施の形態を説明する。なお、以下の説明では、電気光学モジュールとして、透過型の電気光学パネル（透過型の液晶パネル）を備えた電気光学モジュールを中心に説明する。また、以下の説明で参照する図においては、各層や各部材を図面上で認識可能な程度の大きさとするため、各層や各部材毎に縮尺を異ならしめてある。また、以下の説明では、電気光学パネルに対する法線方向をＺ方向とし、電気光学パネルから第１フレキシブル配線基板が延在している方向をＹ方向とし、Ｙ方向およびＺ方向に直交する方向をＸ方向として説明する。
【００２１】
［実施の形態１］
（電気光学モジュール１０の全体構成）
図１は、本発明の実施の形態１に係る電気光学モジュールを光出射側からみたときの様子を模式的に示す斜視図である。図２は、図１に示す電気光学モジュールを光出射側からみたときの様子を模式的に示す分解斜視図である。図３は、図１に示す電気光学モジュールを光入射側からみたときの様子を模式的に示す分解斜視図である。図４は、図１に示す電気光学モジュールに用いた電気光学パネルの説明図であり、図４（ａ）、（ｂ）は、電気光学パネルを第２基板側からみた斜視図、および断面図である。
【００２２】
図１〜図４に示すように、本形態の電気光学モジュール１０は、電気光学パネル２と、電気光学パネル２を収容するケース３とを有している。本形態において、ケース３は、電気光学パネルを一方側Ｌ１（光入射側）から支持するフレーム３０と、電気光学パネル２を他方側Ｌ２（光出射側）から支持するプレート（図示せず）とを有している。また、電気光学モジュール１０は、電気光学パネル２に接続された第１フレキシブル配線基板６０と、第１フレキシブル配線基板６０に実装された集積回路９０とを有している。集積回路９０は、電気光学パネル２に対する駆動用ＩＣであり、第１フレキシブル配線基板６０は、電気光学パネル２に各種信号や共通電位を供給する。
【００２３】
また、電気光学パネル２には、後述する第２フレキシブル配線基板７０が接続されており、本形態において、第２フレキシブル配線基板７０は、電気光学パネル２に共通電位を供給する。従って、第１フレキシブル配線基板６０から電気光学パネル２に共通電位を供給する配線のインピーダンスが高い場合でも、第２フレキシブル配線基板７０から電気光学パネル２に共通電位が供給されるため、共通電位が安定している。
【００２４】
かかる構成の電気光学モジュール１０では、電気光学パネル２として透過型の液晶パネルが用いられている。このため、矢印Ｌで示すように、一方側Ｌ１から電気光学パネル２に光源光が入射した際、光源光を電気光学パネル２で変調して他方側Ｌ２に出射し、画像を表示する。
【００２５】
（電気光学パネル２の構成）
図４等に示すように、電気光学パネル２は、第１基板２１（素子基板）と第２基板２２（対向基板）とが所定の隙間を介してシール材２５によって貼り合わされている。本形態において、第２基板２２は、第１基板２１に対してフレーム３０の側（一方側Ｌ１）に位置する。
【００２６】
第１基板２１および第２基板２２には、石英ガラスや耐熱ガラス等の透光性基板が用いられている。電気光学パネル２において、第１基板２１と第２基板２２との間においてシール材２５によって囲まれた領域内に電気光学物質層２６としての液晶層が保持されている。また、第１基板２１において第２基板２２側の面には、ＩＴＯ（Indium Tin Oxide）膜やＩＺＯ（Indium Zinc Oxide）膜等の透光性導電膜からなる画素電極２１ｓ、画素トランジスター（図示せず）、配向膜２１ｔ等が形成されている。第２基板２２において第１基板２１側の面には、ＩＴＯ膜やＩＺＯ膜等の透光性導電膜からなる共通電極２２ｓや、配向膜２２ｔ、遮光膜２２ｒ等が形成されており、画素電極２１ｓと共通電極２２ｓとによって電気光学物質層２６を画素毎に駆動する。その際、共通電極２２ｓ等には、第１フレキシブル配線基板６０および第２フレキシブル配線基板７０から供給された共通電位が供給される。また、第１基板２１には、容量線（図示せず）との間に保持容量が形成されており、容量線にも、第１フレキシブル配線基板６０および第２フレキシブル配線基板７０から供給された共通電位が供給される。
【００２７】
本形態において、第１基板２１は四角形であり、第２基板２２も、第１基板２１と同様、四角形である。従って、第１基板２１は、Ｘ方向に延在する第１辺２１ａと、第１辺２１ａに対して反対側で第１辺２１ａに対向する第２辺２１ｂと、第１辺２１ａの一方側端部と第２辺２１ｂの一方側端部とを繋ぐ第３辺２１ｃと、第１辺２１ａの他方側端部と第２辺２１ｂの他方側端部とを繋ぐ第４辺２１ｄとを有している。また、第２基板２２は、Ｘ方向に延在する第１辺２２ａと、第１辺２２ａに対して反対側で第１辺２２ａに対向する第２辺２２ｂと、第１辺２２ａの一方側端部と第２辺２２ｂの一方側端部とを繋ぐ第３辺２２ｃと、第１辺２２ａの他方側端部と第２辺２２ｂの他方側端部とを繋ぐ第４辺２２ｄとを有している。また、電気光学パネル２も四角形であり、Ｘ方向に延在する第１辺２ａと、第１辺２ａに対して反対側で第１辺２ａに対向する第２辺２ｂと、第１辺２ａの一方側端部と第２辺２ｂの一方側端部とを繋ぐ第３辺２ｃと、第１辺２ａの他方側端部と第２辺２ｂの他方側端部とを繋ぐ第４辺２ｄとを有している。
【００２８】
ここで、第１基板２１は第２基板２２よりサイズが大である。従って、電気光学パネル２の第１辺２ａは、第１基板２１の第１辺２１ａによって構成され、電気光学パネル２の第２辺２ｂは、第１基板２１の第２辺２１ｂによって構成され、電気光学パネル２の第３辺２ｃは、第１基板２１の第３辺２１ｃによって構成され、電気光学パネル２の第４辺２ｄは、第１基板２１の第４辺２１ｄによって構成されている。また、第１基板２１の第１辺２１ａ、第２辺２１ｂ、第３辺２１ｃ、第４辺２１ｄは各々、第２基板２２の第１辺２２ａ、第２辺２２ｂ、第３辺２２ｃ、第４辺２２ｄから張り出しており、第１基板２１は、第２基板２２から張り出した張り出し部２１ｅ、２１ｆ、２１ｇ、２１ｈを有している。このため、電気光学パネル２の側面は、第１基板２１の側面によって構成されている。
【００２９】
なお、第１基板２１には、シール材２５より外側において第２基板２２の角部分と重なる領域に、第１基板２１と第２基板２２２との間で電気的導通をとるための基板間導通材（図示せず）が配置されており、第２基板２２の共通電極２２ｓは、基板間導通材を介して、第１基板２１側に電気的に接続されている。このため、共通電極２２ｓは、第１基板２１の側から共通電位が印加されている。
【００３０】
電気光学パネル２において、第１基板２１の第２基板２２と反対側（他方側Ｌ２）の面には第１透光板２３が貼付されており、第２基板２２の第１基板２１と反対側（一方側Ｌ１）の面には第２透光板２４が貼付されている。第１透光板２３および第２透光板２４は防塵ガラスである。かかる防塵ガラス（第１透光板２３および第２透光板２４）は、第１基板２１および第２基板２２に塵等の異物が直接付着することを防止することによって画像に塵等の異物が写り込むことを防止する。第１透光板２３は、表示領域２ｐよりサイズが大きく、第１基板２１よりサイズが小さい。また、第２透光板２４は、表示領域２ｐよりサイズが大きく、第２基板２２よりサイズが小さい。
【００３１】
（第１フレキシブル配線基板６０の構成）
電気光学パネル２の第１辺２ａの側において、第１基板２１の張り出し部２１ｅには第１辺２１ａに沿って複数の第１端子２９が配置されており、第１端子２９と表示領域２ｐとの間にはデータ線駆動回路２７１が形成されている。また、第１基板２１において、第１辺２１ａに隣接する第３辺２１ｃおよび第４辺２１ｄに沿って走査線駆動回路２７２が形成されている。
【００３２】
本形態において、第１端子２９は、張り出し部２１ｅの第１辺２１ａに沿って２列に配置されており、第１基板２１には、第１辺２１ａと表示領域２ｐとの間において第１辺２１ａに沿って配列された複数の第１端子２９ａと、第１端子２９ａと表示領域２ｐとの間において第１辺２１ａに沿って配列された複数の第２端子２９ｂとが形成されている。
【００３３】
また、第１端子２９には、２枚の第１フレキシブル配線基板６０（第１フレキシブル配線基板６１、６２）が接続され、２枚の第１フレキシブル配線基板６０（第１フレキシブル配線基板６１、６２）は、第１辺２１ａからＹ方向において電気光学パネル２とは反対側に引き出されている。より具体的には、第１基板２１に形成された第１端子２９のうち、第１端子２９ａには、第１フレキシブル配線基板６１の端部６１１の一方の基板面６１ａが接続し、第１フレキシブル配線基板６１は、電気光学パネル２から離間する方向に延在する延在部６１２を有している。また、第１端子２９ａには、第１フレキシブル配線基板６２の端部６２１の一方の基板面６２ａが接続しており、第１フレキシブル配線基板６２は、第１フレキシブル配線基板６１と同様、電気光学パネル２から離間する方向に延在する延在部６２２を有している。
【００３４】
このようにして、電気光学パネル２の第１辺２ａには第１フレキシブル配線基板６０（第１フレキシブル配線基板６１、６２）が接続され、第１フレキシブル配線基板６１の延在部６１２では、一方の基板面６１ａに集積回路９１（集積回路９０）が実装されている。また、第１フレキシブル配線基板６２の延在部６２２では、一方の基板面６２ａに集積回路９２（集積回路９０）が実装されている。
【００３５】
（第２フレキシブル配線基板７０の構成）
電気光学パネル２において、第１辺２ａとは異なる辺には第２フレキシブル配線基板７０が接続されている。本形態において、電気光学パネル２において、第１辺２ａとは反対側に位置する第２辺２ｂには第２フレキシブル配線基板７０が接続されている。より具体的には、電気光学パネル２の第２辺２ｂの側において、第１基板２１の張り出し部２１ｆの第２基板２２側の面には第２端子２８が形成されており、第２端子２８には、第２フレキシブル配線基板７０の一方の基板面７０ａが接続されている。
【００３６】
ここで、第２フレキシブル配線基板７０は、第１フレキシブル配線基板６０と同様、電気光学パネル２の第１辺２ａの側から引き出されている。より具体的には、第２フレキシブル配線基板７０は、電気光学パネル２の第２辺２ｂから第１辺２ａとは反対側に向けて延在する第１部分７１と、第１部分７１の先端から第２辺２ｂの一方側に向かって第２辺２ｂに沿って延在する第２部分７２と、第２部分７２の先端から電気光学パネル２の第３辺２ｃに沿って第１辺２ａの側に向かって延在する第３部分７３とを備えている。また、第２フレキシブル配線基板７０は、第１部分７１、第２部分７２および第３部分７３のいずれもが、第２フレキシブル配線基板７０の厚さ方向を電気光学パネル２の厚さ方向（第１基板２１と第２基板２２）の厚さ方向に向けており、一方の基板面７０ａを一方側Ｌ１（フレーム３０が位置する側）に向けている。本形態において、第２部分７２および第３部分７３は、幅が等しく、第１部分７１より幅が狭い。
【００３７】
（フレーム３０の構成）
図５は、図１に示す電気光学モジュール１０の基板収容溝３６付近を拡大して示す斜視図である。
【００３８】
図１、図２、図３および図５において、フレーム３０は、電気光学パネル２よりサイズの大きな板状部材であり、金属製あるいは放熱性の高い樹脂製である。本形態において、フレーム３０は、アルミニウム等の金属製である。フレーム３０は、電気光学パネル２を一方側Ｌ１から支持するパネル支持部３１を有している。また、フレーム３０は、パネル支持部３１から第１フレキシブル配線基板６１、６２の延在部６１２、６２２と重なる方向に延在する板状の放熱部３１１を有している。
【００３９】
パネル支持部３１は、表示領域２ｐと重なる開口部３１０を有する矩形枠状に形成されており、電気光学パネル２の側面２０のうち、第２辺２ｂ、第３辺２ｃおよび第４辺２ｄに位置する部分に対向する壁部３２、３３、３４を有している。本形態において、壁部３２は、電気光学パネル２の側面２０のうち、第３辺２ｃに位置する部分に対向し、壁部３３は、電気光学パネル２の側面２０のうち、第４辺２ｄに位置する部分に対向し、壁部３４は、電気光学パネル２の側面２０のうち、第２辺２ｂに位置する部分に対向している。
【００４０】
パネル支持部３１において、４つの角に対応する位置には、電気光学モジュール１０を電子機器に固定する際の座部３９１、３９２、３９３、３９４が形成されており、座部３９１、３９２、３９３、３９４にはネジ止め用の穴３９１ａ、３９２ａ、３９３ａ、３９４ａが形成されている。ここで、電気光学パネル２の第２辺２ｂ側に形成された座部３９３と座部３９４とは、壁部３４の延在方向で離間しており、壁部３４の他方側Ｌ２は、座部３９３と座部３９４との間が凹部３４９になっている。また、電気光学パネル２の第１辺２ａ側に形成された座部３９１と座部３９２とは、電気光学パネル２の第１辺２ａの延在方向（Ｘ方向）で離間しており、座部３９１と座部３９２との間を利用して、第１フレキシブル配線基板６０がＹ方向において電気光学パネル２から離間する方向に引き出されている。
【００４１】
壁部３２、３３、３４の内面には、電気光学パネル２の構成に対応して、電気光学パネル２を一方側Ｌ１から支持する際、第１基板２１の端部を一方側Ｌ１で受ける第１段部３５１と、第２基板２２の端部を一方側Ｌ１で受ける第２段部３５２とが形成されている。また、フレーム３０が電気光学パネル２を一方側Ｌ１から支持した際、第２透光板２４は、開口部３１０の内側に位置する。このように構成したパネル支持部３１において、壁部３２、３３、３４の内面と電気光学パネル２の側面２０とは接着剤により固定される。
【００４２】
（基板収容溝３６の構成）
本形態の電気光学モジュール１０において、ケース３には、第２フレキシブル配線基板７０を収容する基板収容溝３６が形成されている。本形態において、基板収容溝３６は、第２フレキシブル配線基板７０の構成に対応して、第２フレキシブル配線基板７０の第１部分７１を収容する第１部分収容部３６１と、第２部分７２を収容する第２部分収容部３６２と、第３部分７３を収容する第３部分収容部３６３とを備えている。より具体的には、第１部分収容部３６１は、電気光学パネル２の第２辺２ｂに対向する壁部３４において、内面および他方側Ｌ２に向けて開口するように形成されており、第２フレキシブル配線基板７０の第１部分７１を収容する。第２部分収容部３６２は、電気光学パネル２の第２辺２ｂに対向する壁部３４において、他方側Ｌ２に向けて開口し、かつ、第２辺２ｂに沿って延在しており、第２フレキシブル配線基板７０の第２部分７２を収容する。第３部分収容部３６３は、電気光学パネル２の第３辺２ｃに対向する壁部３２において、他方側Ｌ２に向けて開口し、かつ、電気光学パネル２の第３辺２ｃに沿って電気光学パネル２の第１辺２ａに向けて延在しており、第２フレキシブル配線基板７０の第３部分７３を収容する。また、第３部分収容部３６３は、壁部３２において電気光学パネル２の第１辺２ａの側の端部まで形成されており、第２フレキシブル配線基板７０の第３部分７３は、第３部分収容部３６３から電気光学パネル２から離間する方向に引き出されている。
【００４３】
ここで、第２フレキシブル配線基板７０は、第１部分７１、第２部分７２および第３部分７３のいずれもが、第２フレキシブル配線基板７０の厚さ方向を電気光学パネル２（第１基板２１と第２基板２２）の厚さ方向に向けた状態で、基板収容溝３６に収容されている。
【００４４】
また、本形態では、フレーム３０において、電気光学パネル２の第３辺２ｃの側に加えて、電気光学パネル２の第４辺２ｄの側にも同様な構造をもって形成されている。
【００４５】
（本形態の主な効果）
以上説明したように、本形態の電気光学モジュール１０は、電気光学パネル２と、電気光学パネル２の第１辺２ａに接続された第１フレキシブル配線基板６０と、電気光学パネル２の第２辺２ｂに接続された第２フレキシブル配線基板７０とを有しており、第１フレキシブル配線基板６０および第２フレキシブル配線基板７０はいずれも、電気光学パネル２の第１辺２ａの側から電気光学パネル２とは反対側に引き出されている。このため、第１フレキシブル配線基板６０および第２フレキシブル配線基板７０と外部との電気的な接続等が容易である。
【００４６】
また、第２フレキシブル配線基板７０は、ケース３を構成するフレーム３０に形成された基板収容溝３６を通って第１辺２ａの側から引き出されているため、電気光学モジュール１０を組み立てる際、第２フレキシブル配線基板７０の位置が規定されている。このため、第１フレキシブル配線基板６０と第２フレキシブル配線基板７０とを接着する等の手間のかかる工程を行わなくても、第２フレキシブル配線基板７０と他の部材との干渉等を避けるのが容易である。それ故、第１フレキシブル配線基板６０および第２フレキシブル配線基板７０を電気光学パネル２の異なる辺（第１辺２ａおよび第２辺２ｂ）に接続した場合でも、電気光学モジュール１０を効率よく組み立てることができる。
【００４７】
また、電気光学パネル２において、第２辺２ｂは第１辺２ａとは反対側に位置する。このため、第２フレキシブル配線基板７０の引き回し距離が長い分、第２フレキシブル配線基板７０と他の部材との干渉等を避けるのに多大な手間がかかりやすいが、本形態によれば、かかる構成の場合でも、第２フレキシブル配線基板７０と他の部材との干渉等を避けるのに多大な手間がかからないため、電気光学モジュール１０を効率よく組み立てることができる。
【００４８】
また、基板収容溝３６は、電気光学パネル２と第２フレキシブル配線基板７０との接続位置に対して、第３辺２ｃの側および第４辺２ｄの側の双方に形成されている。このため、電気光学モジュール１０を電子機器等に搭載する際の向き等に応じて、第２フレキシブル配線基板７０を第１辺２ａの延在方向（第３辺２ｃの側および第４辺２ｄの側）のいずれの側から引き出すかを最適化することができる。例えば、図１０を参照して後述する投射型表示装置１１０において、赤色用電気光学モジュール１０Ｒと、青色用電気光学モジュール１０Ｂとにおいて、第２フレキシブル配線基板７０の引き出し方向を逆にすることができる。その結果、赤色用電気光学モジュール１０Ｒおよび青色用電気光学モジュール１０Ｂのいずれにおいても、投射光学系１１８とは反対側に第２フレキシブル配線基板７０を引き出すことができる。それ故、赤色用電気光学モジュール１０Ｒおよび青色用電気光学モジュール１０Ｂのいずれにおいても、投射光学系１１８と第２フレキシブル配線基板７０とが干渉しない等の利点がある。
【００４９】
（実施の形態１の変形例）
上記実施の形態では、基板収容溝３６が第１部分収容部３６１、第２部分収容部３６２、および第３部分収容部３６３を備えていたが、基板収容溝３６が第２部分収容部３６２のみを有する構成や、第３部分収容部３６３のみを有する構成等を採用してもよい。
【００５０】
［実施の形態２］
図６は、本発明の実施の形態２に係る電気光学モジュール１０に用いた第２フレキシブル配線基板７０等を第２基板２２側からみた斜視図である。なお、図６では、第２フレキシブル配線基板７０のうち、折り曲げる前の形状を一点鎖線で示してある。また、本形態の基本的な構成は、実施の形態１と同様であるため、共通する部分には同一の符号を付してそれらの説明を省略する。
【００５１】
実施の形態１において、第２フレキシブル配線基板７０は、第１部分７１、第２部分７２および第３部分７３のいずれもが、第２フレキシブル配線基板７０の厚さ方向を電気光学パネル２（第１基板２１と第２基板２２）の厚さ方向に向けた状態で、基板収容溝３６に収容されていた。これに対して、本形態では、図６に示すように、第２フレキシブル配線基板７０は、第２部分７２と第３部分７３との間で折れ曲がって第３部分７３の一方面７３ｂを電気光学パネル２の側面２０のうち、第３辺２ｃに位置する部分に向かせる第１折り曲げ部７６を備えている。
【００５２】
かかる構成でも、図５に示す基板収容溝３６では、第１部分収容部３６１に第１部分７１が収容され、第２部分収容部３６２に第２部分７２が収容され、第３部分収容部３６３に第３部分７３が収容される。その際、第３部分７３は、電気光学パネル２の側面２０のうち、第３辺２ｃに位置する部分に対向するように第１折り曲げ部７６で折れ曲がっているため、図５等を参照して説明した第３部分収容部３６３の第１辺２ａの延在方向における寸法（幅寸法）を狭くすることができる。従って、電気光学パネル２および第２フレキシブル配線基板７０が占める第１辺２ａの延在方向（Ｘ方向）の寸法（幅寸法）を狭くすることができるので、電気光学モジュール１０の小型化を図ることができる。
【００５３】
（実施の形態２の変形例）
上記実施の形態では、基板収容溝３６が第１部分収容部３６１、第２部分収容部３６２、および第３部分収容部３６３を備えていたが、第３部分収容部３６３のみを有する構成等を採用してもよい。
【００５４】
［実施の形態３］
図７は、本発明の実施の形態３に係る電気光学モジュール１０に用いた第２フレキシブル配線基板７０等を第２基板２２側からみた斜視図である。なお、図７では、第２フレキシブル配線基板７０のうち、折り曲げる前の形状を一点鎖線で示してある。また、本形態の基本的な構成は、実施の形態１と同様であるため、共通する部分には同一の符号を付してそれらの説明を省略する。
【００５５】
実施の形態２において、第２フレキシブル配線基板７０は、電気光学パネル２の側面２０のうち、第３辺２ｃに位置する部分に対向するように第１折り曲げ部７６で折れ曲がっていた。これに対して、本形態では、図７に示すように、第２フレキシブル配線基板７０は、第１部分７１と第２部分７２との間で折れ曲がって第２部分７２の一方面７２ｂを電気光学パネル２の側面２０のうち、第２辺２ｂに位置する部分に向かせる第２折り曲げ部７７を備えている。また、第２フレキシブル配線基板７０は、第２部分７２と第３部分７３との間で折れ曲がって第３部分７３の一方面７３ｂを電気光学パネル２の側面２０のうち、第３辺２ｃに位置する部分に向かせる第１折り曲げ部７６を備えている。
【００５６】
かかる構成でも、図５に示す基板収容溝３６では、第１部分収容部３６１に第１部分７１が収容され、第２部分収容部３６２に第２部分７２が収容され、第３部分収容部３６３に第３部分７３が収容される。その際、第３部分７３は、電気光学パネル２の側面２０のうち、第３辺２ｃに位置する部分に対向するように第１折り曲げ部７６で折れ曲がっているため、図５等を参照して説明した第３部分収容部３６３の第１辺２ａの延在方向（Ｘ方向）における寸法（幅寸法）を狭くすることができる。従って、電気光学パネル２および第２フレキシブル配線基板７０が占める第１辺２ａの延在方向の寸法（幅寸法）を狭くすることができるので、電気光学モジュール１０の小型化を図ることができる。また、第２部分７２は、電気光学パネル２の側面２０のうち、第２辺２ｂに位置する部分に対向するように第２折り曲げ部７７で折れ曲がっているため、図５等を参照して説明した第２部分収容部３６２の第３辺２ｃや第４辺２ｄの延在方向（Ｙ方向）における寸法（幅寸法）を狭くすることができる。従って、電気光学パネル２および第２フレキシブル配線基板７０が占める第１辺２ａの延在方向（Ｘ方向）の寸法、および第３辺２ｃや第４辺２ｄの延在方向（Ｙ方向）の寸法を狭くすることができるので、電気光学モジュール１０の小型化を図ることができる。
【００５７】
（実施の形態３の変形例）
上記実施の形態では、基板収容溝３６が第１部分収容部３６１、第２部分収容部３６２、および第３部分収容部３６３を備えていたが、第２部分収容部３６２および第３部分収容部３６３のみを有する構成等を採用してもよい。
【００５８】
［実施の形態４］
図８は、本発明の実施の形態４に係る電気光学モジュール１０に用いた第２フレキシブル配線基板７０等を第２基板２２側からみた斜視図である。なお、図８では、第２フレキシブル配線基板７０のうち、折り曲げる前の形状を一点鎖線で示してある。また、本形態の基本的な構成は、実施の形態１と同様であるため、共通する部分には同一の符号を付してそれらの説明を省略する。
【００５９】
本形態では、図５に示す第２部分収容部３６２は延在方向（Ｘ方向）において深さが変化し、第２フレキシブル配線基板７０の第２部分７２は、第２部分収容部３６２の底部に沿って延在している。このため、第２フレキシブル配線基板７０の第２部分７２は、延在方向（Ｘ方向）で電気光学パネル２の厚さ方向における位置が変化しており、その結果、第２フレキシブル配線基板７０は、第１基板２１の第２基板２２からの張り出し部２１ｇに重なっている。かかる構成によれば、電気光学パネル２の第１辺２ａの延在方向（Ｘ方向）において、電気光学パネル２の幅方向の範囲内に第２フレキシブル配線基板７０の第３部分７３を配置することができるので、電気光学モジュール１０の小型化を図ることができる。
【００６０】
上記実施の形態では、基板収容溝３６において、第２部分収容部３６２の構成を説明したが、フレーム３０に対して、第３部分７３を収容する第３部分収容部３６３を設けてもよい。また、実施の形態２等で説明したように、第２フレキシブル配線基板７０には、第２部分７２と第３部分７３との間で折れ曲がって第３部分７３の一方面７３ｂを電気光学パネル２の側面２０のうち、第３辺２ｃに位置する部分に向かせる第１折り曲げ部７６を設けてもよく、かかる第３部分７３を第３部分収容部３６３に収容してもよい。
【００６１】
［実施の形態５］
図９は、本発明の実施の形態５に係る電気光学モジュール１０の説明図であり、図９（ａ）、（ｂ）は、第２フレキシブル配線基板７０等を第２基板２２側からみた斜視図、およびフレーム３０を電気光学パネル２とは反対側からみたときの斜視図である。
【００６２】
上記実施の形態１では、フレーム３０の電気光学パネル２側の面に基板収容溝３６を形成したが、本形態においては、図９に示すように、基板収容溝３６は、ケース３（フレーム３０）の電気光学パネル２と平面視で重なる底板部３７の電気光学パネル２側とは反対側に位置する裏面３７ａ側で電気光学パネル２の第２辺２ｂの側から第１辺２ａの側に向けて延在している。また、第２フレキシブル配線基板７０は、電気光学パネル２との接続位置から裏面３７ａに向けて折り曲げられて基板収容溝３６に収容されている。
【００６３】
かかる構成は、例えば、電気光学パネル２が反射型液晶パネルである場合に適用される。この場合、図４に示す画素電極２１ｓは、アルミウニム等の反射性金属からなる。このため、図９に矢印Ｌ３で示すように、第２基板２２の側から入射した光源光を第１基板２１側で反射し、第２基板２２の側から出射する。このため、電気光学パネル２は、第１基板２１をフレーム３０に向けて配置される。また、ケース３（フレーム３０）の裏面３７ａ側には、電気光学パネル２の第２辺２ｂの側から第１辺２ａの側に向けて延在する突条のフィン３８が複数、並列して形成されており、複数のフィン３８のうち、隣り合うフィン３８の間に形成された凹部３８ａのいずれかに基板収容溝３６が形成されている。例えば、複数のフィン３８のうち、隣り合うフィン３８の間に形成された複数の凹部３８ａのいずれかが基板収容溝３６として利用されている。本形態では、複数の凹部３８ａのうち、基板収容溝３６が形成されているフィン間の間隔が、他のフィン間の間隔より広くなっている。かかる構成は、等間隔に配置されるフィン３８のいずれか１枚を除去することによって実現することができる。
【００６４】
かかる構成によれば、電気光学パネル２の幅方向（Ｘ方向）の範囲内に第２フレキシブル配線基板７０を配置することができるので、電気光学モジュール１０の小型化を図ることができる。また、本形態では、フィン３８の間に形成された凹部３８ａを利用して基板収容溝３６を形成するため、底板部３７の裏面３７ａにフィン３８が形成されている場合でも、底板部３７の裏面３７ａ側に第２フレキシブル配線基板７０を通すことができる。また、本形態において、基板収容溝３６が形成されているフィン３８間の間隔が、他のフィン３８間の間隔より広い。このため、フィン３８の間隔が狭い場合でも、底板部３７の裏面３７ａ側に第２フレキシブル配線基板７０を通すことができる。
【００６５】
［他の実施の形態］
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【００６６】
［電子機器への搭載例］
図１０は、本発明を適用した電気光学モジュール１０を用いた投射型表示装置（電子機器）の概略構成図である。なお、以下の説明では、互いに異なる波長域の光が供給される複数の電気光学モジュール１０が用いられているが、いずれの電気光学モジュール１０にも、本発明を適用した電気光学モジュール１０が用いられている。
【００６７】
図１０に示す投射型表示装置１１０は、透過型の電気光学モジュール１０を用いた液晶プロジェクターであり、スクリーン等からなる被投射部材１１１に光を照射し、画像を表示する。投射型表示装置１１０は、装置光軸Ｌに沿って、照明装置１６０と、照明装置１６０から出射された光が供給される複数の電気光学モジュール１０（液晶ライトバルブ１１５〜１１７）と、複数の電気光学モジュール１０から出射された光を合成して出射するクロスダイクロイックプリズム１１９（光合成光学系）と、クロスダイクロイックプリズム１１９により合成された光を投射する投射光学系１１８とを有している。また、投射型表示装置１１０は、ダイクロイックミラー１１３、１１４、およびリレー系１２０を備えている。投射型表示装置１１０において、電気光学モジュール１０およびクロスダイクロイックプリズム１１９は、光学ユニット２００を構成している。
【００６８】
照明装置１６０では、装置光軸Ｌに沿って、光源部１６１、フライアイレンズ等のレンズアレイからなる第１インテグレーターレンズ１６２、フライアイレンズ等のレンズアレイからなる第２インテグレーターレンズ１６３、偏光変換素子１６４、およびコンデンサーレンズ１６５が順に配置されている。光源部１６１は、赤色光Ｒ、緑色光Ｇおよび青色光Ｂを含む白色光を出射する光源１６８と、リフレクター１６９とを備えている。光源１６８は超高圧水銀ランプ等により構成されており、リフレクター１６９は、放物線状の断面を有している。第１インテグレーターレンズ１６２および第２インテグレーターレンズ１６３は、光源部１６１から出射された光の照度分布を均一化する。偏光変換素子１６４は、光源部１６１から出射された光を、例えばｓ偏光のような特定の振動方向を有する偏光にする。
【００６９】
ダイクロイックミラー１１３は、照明装置１６０から出射された光に含まれる赤色光Ｒを透過させるとともに、緑色光Ｇおよび青色光Ｂを反射する。ダイクロイックミラー１１４は、ダイクロイックミラー１１３で反射された緑色光Ｇおよび青色光Ｂのうち、青色光Ｂを透過させるとともに緑色光Ｇを反射する。このように、ダイクロイックミラー１１３、１１４は、照明装置１６０から出射された光を赤色光Ｒ、緑色光Ｇおよび青色光Ｂに分離する色分離光学系を構成している。
【００７０】
液晶ライトバルブ１１５は、ダイクロイックミラー１１３を透過して反射ミラー１２３で反射した赤色光Ｒを画像信号に応じて変調する透過型の液晶装置である。液晶ライトバルブ１１５は、λ／２位相差板１１５ａ、第１偏光板１１５ｂ、電気光学モジュール１０（赤色用電気光学モジュール１０Ｒ）、および第２偏光板１１５ｄを備えている。ここで、液晶ライトバルブ１１５に入射する赤色光Ｒは、ダイクロイックミラー１１３を透過しても光の偏光は変化しないことから、ｓ偏光のままである。
【００７１】
λ／２位相差板１１５ａは、液晶ライトバルブ１１５に入射したｓ偏光をｐ偏光に変換する光学素子である。第１偏光板１１５ｂは、ｓ偏光を遮断してｐ偏光を透過させる偏光板である。電気光学モジュール１０（赤色用電気光学モジュール１０Ｒ）は、ｐ偏光を画像信号に応じた変調によってｓ偏光（中間調であれば円偏光又は楕円偏光）に変換する構成となっている。第２偏光板１１５ｄは、ｐ偏光を遮断してｓ偏光を透過させる偏光板である。従って、液晶ライトバルブ１１５は、画像信号に応じて赤色光Ｒを変調し、変調した赤色光Ｒをクロスダイクロイックプリズム１１９に向けて出射する。λ／２位相差板１１５ａおよび第１偏光板１１５ｂは、偏光を変換させない透光性のガラス板１１５ｅに接した状態で配置されており、λ／２位相差板１１５ａおよび第１偏光板１１５ｂが発熱によって歪むのを回避することができる。
【００７２】
液晶ライトバルブ１１６は、ダイクロイックミラー１１３で反射した後にダイクロイックミラー１１４で反射した緑色光Ｇを画像信号に応じて変調する透過型の液晶装置である。液晶ライトバルブ１１６は、液晶ライトバルブ１１５と同様に、第１偏光板１１６ｂ、電気光学モジュール１０（緑色用電気光学モジュール１０Ｇ）、および第２偏光板１１６ｄを備えている。液晶ライトバルブ１１６に入射する緑色光Ｇは、ダイクロイックミラー１１３、１１４で反射されて入射するｓ偏光である。第１偏光板１１６ｂは、ｐ偏光を遮断してｓ偏光を透過させる偏光板である。電気光学モジュール１０（緑色用電気光学モジュール１０Ｇ）は、ｓ偏光を画像信号に応じた変調によってｐ偏光（中間調であれば円偏光又は楕円偏光）に変換する構成となっている。第２偏光板１１６ｄは、ｓ偏光を遮断してｐ偏光を透過させる偏光板である。従って、液晶ライトバルブ１１６は、画像信号に応じて緑色光Ｇを変調し、変調した緑色光Ｇをクロスダイクロイックプリズム１１９に向けて出射する。
【００７３】
液晶ライトバルブ１１７は、ダイクロイックミラー１１３で反射し、ダイクロイックミラー１１４を透過した後でリレー系１２０を経た青色光Ｂを画像信号に応じて変調する透過型の液晶装置である。液晶ライトバルブ１１７は、液晶ライトバルブ１１５、１１６と同様に、λ／２位相差板１１７ａ、第１偏光板１１７ｂ、電気光学モジュール１０（青色用電気光学モジュール１０Ｂ）、および第２偏光板１１７ｄを備えている。液晶ライトバルブ１１７に入射する青色光Ｂは、ダイクロイックミラー１１３で反射してダイクロイックミラー１１４を透過した後にリレー系１２０の２つの反射ミラー１２５ａ、１２５ｂで反射することから、ｓ偏光となっている。
【００７４】
λ／２位相差板１１７ａは、液晶ライトバルブ１１７に入射したｓ偏光をｐ偏光に変換する光学素子である。第１偏光板１１７ｂは、ｓ偏光を遮断してｐ偏光を透過させる偏光板である。電気光学モジュール１０（青色用電気光学モジュール１０Ｂ）は、ｐ偏光を画像信号に応じた変調によってｓ偏光（中間調であれば円偏光又は楕円偏光）に変換する構成となっている。第２偏光板１１７ｄは、ｐ偏光を遮断してｓ偏光を透過させる偏光板である。従って、液晶ライトバルブ１１７は、画像信号に応じて青色光Ｂを変調し、変調した青色光Ｂをクロスダイクロイックプリズム１１９に向けて出射する。なお、λ／２位相差板１１７ａ、および第１偏光板１１７ｂは、ガラス板１１７ｅに接した状態で配置されている。
【００７５】
リレー系１２０は、リレーレンズ１２４ａ、１２４ｂと反射ミラー１２５ａ、１２５ｂとを備えている。リレーレンズ１２４ａ、１２４ｂは、青色光Ｂの光路が長いことによる光損失を防止するために設けられている。リレーレンズ１２４ａは、ダイクロイックミラー１１４と反射ミラー１２５ａとの間に配置されている。リレーレンズ１２４ｂは、反射ミラー１２５ａ、１２５ｂの間に配置されている。反射ミラー１２５ａは、ダイクロイックミラー１１４を透過してリレーレンズ１２４ａから出射した青色光Ｂをリレーレンズ１２４ｂに向けて反射する。反射ミラー１２５ｂは、リレーレンズ１２４ｂから出射した青色光Ｂを液晶ライトバルブ１１７に向けて反射する。
【００７６】
クロスダイクロイックプリズム１１９は、２つのダイクロイック膜１１９ａ、１１９ｂをＸ字型に直交配置した色合成光学系である。ダイクロイック膜１１９ａは青色光Ｂを反射して緑色光Ｇを透過する膜であり、ダイクロイック膜１１９ｂは赤色光Ｒを反射して緑色光Ｇを透過する膜である。従って、クロスダイクロイックプリズム１１９は、液晶ライトバルブ１１５〜１１７のそれぞれで変調された赤色光Ｒと緑色光Ｇと青色光Ｂとを合成し、投射光学系１１８に向けて出射する。
【００７７】
なお、液晶ライトバルブ１１５、１１７からクロスダイクロイックプリズム１１９に入射する光はｓ偏光であり、液晶ライトバルブ１１６からクロスダイクロイックプリズム１１９に入射する光はｐ偏光である。このようにクロスダイクロイックプリズム１１９に入射する光を異なる種類の偏光としていることにより、クロスダイクロイックプリズム１１９において各液晶ライトバルブ１１５〜１１７から入射する光を合成できる。ここで、一般に、ダイクロイック膜１１９ａ、１１９ｂはｓ偏光の反射特性に優れている。このため、ダイクロイック膜１１９ａ、１１９ｂで反射される赤色光Ｒ、および青色光Ｂをｓ偏光とし、ダイクロイック膜１１９ａ、１１９ｂを透過する緑色光Ｇをｐ偏光としている。投射光学系１１８は、投影レンズ（図示略）を有しており、クロスダイクロイックプリズム１１９で合成された光をスクリーン等の被投射部材１１１に投射する。
【００７８】
（他の投射型表示装置）
上記投射型表示装置においては、透過型の電気光学モジュール１０を用いたが、反射型の電気光学モジュール１０を用いて投射型表示装置を構成してもよい。また、投射型表示装置においては、光源部として、各色の光を出射するＬＥＤ光源等を用い、かかるＬＥＤ光源から出射された色光を各々、別の液晶装置に供給するように構成してもよい。
【００７９】
（他の電子機器）
本発明を適用した電気光学モジュール１０については、上記の電子機器の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【００８０】
２・・電気光学パネル、２ａ・・第１辺、２ｂ・・第２辺、２ｃ・・第３辺、２ｄ・・第４辺、２ｐ・・表示領域、３・・ケース、１０・・電気光学モジュール、２０・・側面、２１・・第１基板、２１ｓ・・画素電極、２２・・第２基板、２２ｓ・・共通電極、２３・・第１透光板、２４・・第２透光板、２６・・電気光学物質層、２８・・第２端子、２９、２９ａ、２９ｂ・・第１端子、３０・・フレーム、３１・・パネル支持部、３２、３３、３４・・壁部、３６・・基板収容溝、３７・・底板部、３７ａ・・裏面、３８・・フィン、３８ａ・・凹部、６０、６１、６２・・第１フレキシブル配線基板、７０・・第２フレキシブル配線基板、７１・・第１部分、７２・・第２部分、７３・・第３部分、７６・・第１折り曲げ部、７７・・第２折り曲げ部、１１０・・投射型表示装置、３６１・・第１部分収容部、３６２・・第２部分収容部、３６３・・第３部分収容部
【図１】
2016014755.tif 000003
【図２】
2016014755.tif 000004
【図３】
2016014755.tif 000005
【図４】
2016014755.tif 000006
【図５】
2016014755.tif 000007
【図６】
2016014755.tif 000008
【図７】
2016014755.tif 000009
【図８】
2016014755.tif 000010
【図９】
2016014755.tif 000011
【図１０】
2016014755.tif 000012